(57)【特許請求の範囲】
【請求項１】
コンテンツを蓄積するコンテンツデータベースに対してコンテンツ要求／受信を行ない、ユーザ端末へコンテンツを送信するコンテンツ制御機能部と、ユーザのコンテンツ利用可能時間を算出し設定する時間管理機能部とを有するコンテンツサーバ、及びユーザ毎の課金情報・時間情報を蓄積するユーザ管理データベースに対して購入情報の書き込み／読み出しを行なう課金管理機能部を有する課金会員管理サーバが、インターネット網を介して前記ユーザ端末と接続され構成されたコンテンツ販売システムであって、
前記コンテンツサーバは、
前記ユーザ端末から前記インターネット網を介して届いた購入要求に基づき、前記課金管理機能部による課金情報の前記ユーザ管理データベースへの書き込み及び課金完了情報の前記コンテンツサーバへの送出を含む前記課金会員管理サーバへの購入指示と、前記時間管理機能部により設定された時間だけ利用可能なコンテンツの前記コンテンツ制御機能部による送信とを行ない、
前記ユーザが前記コンテンツを購入した後に他のユーザが同一コンテンツを購入した場合に、前記時間管理機能部により前記ユーザのコンテンツ利用終了時間を前記他のユーザのコンテンツ利用終了時間に変更し、前記コンテンツ制御機能部により前記他のユーザのコンテンツ利用終了時間まで該コンテンツを利用させることを特徴とするコンテンツ販売システム。
【請求項２】
前記他のユーザのコンテンツ利用終了時間まで該コンテンツを利用できるユーザは、同一コンテンツを平行して利用中の前記他のユーザより前に前記同一コンテンツを購入したユーザであることを特徴とする請求項１記載のコンテンツ販売システム。
【請求項３】
前記他のユーザのコンテンツ利用終了時間まで該コンテンツを利用できるユーザは、前記コンテンツの利用時間内に前記コンテンツを購入した新たなユーザが現れた場合に前記コンテンツを利用していたユーザであることを特徴とする請求項１または２記載のコンテンツ販売システム。
【請求項４】
前記他のユーザのコンテンツ利用終了時間まで該コンテンツを利用できる時間は、前記コンテンツを購入した前記新たなユーザの人数に応じて可変としたことを特徴とする請求項３記載のコンテンツ販売システム。
【請求項５】
コンテンツを蓄積するコンテンツデータベースに対してコンテンツ要求／受信を行ない、ユーザ端末へコンテンツを送信するコンテンツ制御機能部と、ユーザのコンテンツ利用可能時間を算出し設定する時間管理機能部とを有するコンテンツサーバ、及びユーザ毎の課金情報・時間情報を蓄積するユーザ管理データベースに対して購入情報の書き込み／読み出しを行なう課金管理機能部を有する課金会員管理サーバが、インターネット網を介して前記ユーザ端末と接続され構成されたコンテンツ販売システムにおけるコンテンツ販売方法であって、
前記コンテンツサーバにおいて、
前記コンテンツ制御機能部により、ユーザによるユーザ端末からのコンテンツ購入のアクセスに対応して前記ユーザの前記コンテンツの利用を可能とするとともに、前記時間管理機能部により、前記ユーザ端末からのコンテンツの購入情報に基づいてコンテンツ利用時間情報を作成し、前記コンテンツ利用時間情報の管理を行う利用時間管理工程と、
前記ユーザが前記コンテンツを利用可能とする時間内に他のユーザによる同一コンテンツの購入のイベント発生の有無を管理する別途購入者有無管理工程と、
前記別途購入者有無管理工程において前記他のユーザによる前記コンテンツの購入のイベント発生が認められた場合に、前記時間管理機能部により、前記利用時間管理工程における前記コンテンツの購入情報に基づくコンテンツ利用時間情報を、前記他のユーザによる同一コンテンツの購入に基づいて前記利用時間管理工程により作成されたコンテンツ利用時間情報に変更する利用可能時間延長処理工程とを有することを特徴とするコンテンツ販売方法。
【請求項６】
前記利用可能時間延長処理工程によりコンテンツ利用時間情報が変更されるときのユーザは、同一コンテンツを平行して利用中の他のユーザより前に前記同一コンテンツを購入したユーザであることを特徴とする請求項５記載のコンテンツ販売方法。
【請求項７】
前記利用可能時間延長処理工程によりコンテンツ利用時間情報が変更されるときのユーザは、前記コンテンツの利用時間内に該コンテンツを購入した新たなユーザが現れた場合に前記コンテンツを利用していたユーザであることを特徴とする請求項５または６記載のコンテンツ販売方法。
【請求項８】
前記利用可能時間延長処理工程により変更されるコンテンツ利用時間情報は、前記コンテンツを購入した前記新たなユーザの人数に応じて可変としたことを特徴とする請求項７記載のコンテンツ販売方法。
【発明の詳細な説明】
【０００１】
【発明の属する技術分野】
本発明は、コンテンツ販売システムおよびコンテンツ販売方法に関し、たとえば、購入人数により利用時間を積み上げる時間積み上げ式のコンテンツ販売システムおよびコンテンツ販売方法に関する。
【０００２】
【従来の技術】
従来、コンテンツ販売システムおよびコンテンツ販売方法は、たとえば、所定のコンテンツの販売促進に適用される。本適用においてユーザは、所定のコンテンツを一定の契約に基き購入する。その後、ユーザは、購入した金額以下のコンテンツを自由に利用可能となる。このようなコンテンツの販売促進には、コンテンツ提供元では一般的に、多額の販売促進費を用いて拡販する。
【０００３】
本発明と技術分野の類似する先願発明例１として、特開２０００−２３７４５８号公報の「ゲーム装置」がある。本先願発明例１では、複数のプレーヤが同時にプレーする場合には、一人のプレーヤのみがプレーする場合よりも、少なくともゲームの設定条件又はゲーム内容の一部の何れかを、サービスとしてプレーヤに有利なものに変更するサービス付与手段をゲーム装置に設けている。
【０００４】
【発明が解決しようとする課題】
しかしながら、上記の従来技術は、下記の問題を伴う。
第１に、ユーザは、購入した金額以下のコンテンツ利用しかできず、それ以上は別途利用料を払わなければならない。
第２に、コンテンツ提供元は、コンテンツを拡販する場合には、多額の販売促進費を必要とする。
【０００５】
本発明は、早期購入の魅力を高めたコンテンツ販売システムおよびコンテンツ販売方法を提供することを目的とする。
【０００６】
【課題を解決するための手段】
かかる目的を達成するため、本発明のコンテンツ販売システムは、コンテンツを蓄積するコンテンツデータベースに対してコンテンツ要求／受信を行ない、ユーザ端末へコンテンツを送信するコンテンツ制御機能部と、ユーザのコンテンツ利用可能時間を算出し設定する時間管理機能部とを有するコンテンツサーバ、及びユーザ毎の課金情報・時間情報を蓄積するユーザ管理データベースに対して購入情報の書き込み／読み出しを行なう課金管理機能部を有する課金会員管理サーバが、インターネット網を介してユーザ端末と接続され構成されたコンテンツ販売システムであって、コンテンツサーバは、ユーザ端末からインターネット網を介して届いた購入要求に基づき、課金管理機能部による課金情報のユーザ管理データベースへの書き込み及び課金完了情報のコンテンツサーバへの送出を含む課金会員管理サーバへの購入指示と、時間管理機能部により設定された時間だけ利用可能なコンテンツのコンテンツ制御機能部による送信とを行ない、ユーザがコンテンツを購入した後に他のユーザが同一コンテンツを購入した場合に、時間管理機能部によりユーザのコンテンツ利用終了時間を他のユーザのコンテンツ利用終了時間に変更し、コンテンツ制御機能部により他のユーザのコンテンツ利用終了時間まで該コンテンツを利用させることを特徴としている。
【０００７】
上記の他のユーザのコンテンツ利用終了時間まで該コンテンツを利用できるユーザは、同一コンテンツを平行して利用中の他のユーザより前に該当コンテンツを購入したユーザであり、また、コンテンツの利用時間内にコンテンツを購入した新たなユーザが現れた場合に該コンテンツを利用していたユーザであるとするとよい。
【０００８】
さらに、他のユーザのコンテンツ利用終了時間まで該コンテンツを利用できる時間は、コンテンツを購入した新たなユーザの人数に応じて可変とするとよい。
【０００９】
本発明のコンテンツ販売方法は、コンテンツを蓄積するコンテンツデータベースに対してコンテンツ要求／受信を行ない、ユーザ端末へコンテンツを送信するコンテンツ制御機能部と、ユーザのコンテンツ利用可能時間を算出し設定する時間管理機能部とを有するコンテンツサーバ、及びユーザ毎の課金情報・時間情報を蓄積するユーザ管理データベースに対して購入情報の書き込み／読み出しを行なう課金管理機能部を有する課金会員管理サーバが、インターネット網を介してユーザ端末と接続され構成されたコンテンツ販売システムにおけるコンテンツ販売方法であって、コンテンツサーバにおいて、コンテンツ制御機能部により、ユーザによるユーザ端末からのコンテンツ購入のアクセスに対応してユーザのコンテンツの利用を可能とするとともに、時間管理機能部により、ユーザ端末からのコンテンツの購入情報に基づいてコンテンツ利用時間情報を作成し、コンテンツ利用時間情報の管理を行う利用時間管理工程と、ユーザがコンテンツを利用可能とする時間内に他のユーザによる同一コンテンツの購入のイベント発生の有無を管理する別途購入者有無管理工程と、別途購入者有無管理工程において他のユーザによるコンテンツの購入のイベント発生が認められた場合に、時間管理機能部により、利用時間管理工程におけるコンテンツの購入情報に基づくコンテンツ利用時間情報を、他のユーザによる同一コンテンツの購入に基づいて利用時間管理工程により作成されたコンテンツ利用時間情報に変更する利用可能時間延長処理工程とを有することを特徴としている。
【００１０】
上記ユーザとコンテンツサーバとは、利用可能時間延長処理工程によりコンテンツ利用時間情報が変更されるときのユーザは、同一コンテンツを平行して利用中の他のユーザより前に該同一コンテンツを購入したユーザであり、また、コンテンツの利用時間内にコンテンツを購入した新たなユーザが現れた場合に該コンテンツを利用していたユーザであるとするとよい。
【００１１】
上記の利用可能時間延長処理工程により変更されるコンテンツ利用時間情報は、コンテンツを購入した新たなユーザの人数に応じて可変とするとよい。
【００１２】
【発明の実施の形態】
次に、添付図面を参照して本発明によるコンテンツ販売システムおよびコンテンツ販売方法の実施の形態を詳細に説明する。図１および図２を参照すると、本発明のコンテンツ販売システムおよびコンテンツ販売方法の一実施形態が示されている。図１は、本発明のコンテンツ販売システムおよびコンテンツ販売方法の実施形態を示すシステム構成図である。また、図２は、コンテンツ販売システムおよびコンテンツ販売方法のサービス手順を示す流れ図である。
【００１３】
本実施形態のコンテンツ販売システムおよびコンテンツ販売方法は、ネットワークゲームなどの時間売り型サービスにおいて、あるユーザが購入した時間が過ぎても他の利用者が同一コンテンツを利用中の間は、引き続き利用できる販売方式である。例えば、最初にコンテンツを購入したユーザは、購入金額に応じた時間中コンテンツを利用できる。さらに、コンテンツ利用時間内に新たにコンテンツを購入したユーザが現れれば、最初にコンテンツを購入したユーザは、新たにコンテンツを購入したユーザの終了時間までコンテンツの利用時間が延長される。
【００１４】
これにより、初めにコンテンツを購入したユーザは、新規ユーザが購入すれば、それにともなう時間を無料でコンテンツを利用することができる。本実施例によれば、コンテンツを安い値段で長いこと見るためには、ユーザは新たに購入するユーザが現れればいいので、バイラル的な販促活動をユーザ自身で行なうようになる。
【００１５】
本発明における販売システムは、コンテンツデータベース（ＤＢ）４００と接続されたコンテンツサーバ３００が、ユーザ管理データベース（ＤＢ）６００と接続された課金会員管理サーバ５００と連結され、コンテンツサーバ３００はインターネット網２００を介してユーザ端末Ａ１００およびユーザ端末Ｂ１０１と網接続されて、システムが構成される。
【００１６】
なお、コンテンツサーバ３００は、コンテンツ制御機能部３０１と時間管理機能部３０２とを有している。また、課金会員管理サーバ５００は、課金管理機能部５０１を有している。
【００１７】
上記構成のユーザ端末Ａ１００およびユーザ端末Ｂ１０１は、ユーザがコンテンツの購入、利用をするために、インターネット網２００を介してコンテンツサーバ３００にアクセスし、購入コンテンツに対してユーザに割り当てられる時間内で該当コンテンツを利用できる機能を持つ。
【００１８】
コンテンツサーバ３００は、ユーザ端末１００からインターネット網２００を介してアクセスされた購入要求に基づき、課金会員管理サーバ５００への問い合わせ、コンテンツＤＢ４００へのコンテンツの読み出し、ユーザ端末Ａ１００へのコンテンツの供給を行なう。
時間管理機能部３０２では、課金会員管理サーバ５００から課金完了の通知を受けた後に、利用可能時間を設定する。コンテンツ制御機能部３０１は、コンテンツ要求／受信をコンテンツＤＢ４００へ行ない、インターネット網２００を介してユーザ端末Ａ１００にコンテンツを送信する。
【００１９】
コンテンツＤＢ４００は、蓄積されたコンテンツを、コンテンツサーバ３００からの要求に基づき供給する。
課金会員管理サーバ５００は、コンテンツサーバ３００で受けた購入情報を受け、課金管理機能部５０１によりユーザの購入状況をユーザ管理ＤＢ６００に書き込み／読み出しを行なう。
ユーザ管理ＤＢ６００は、課金会員管理サーバ５００からのユーザの購入情報の書き込み／読み出し要求を受け、ユーザ毎の課金・時間情報を蓄積する。
【００２０】
（動作例）
図１に基く本実施例の販売システムは、ネットワークゲームなどの時間売り型のサービスに適用される。本適用の動作例において、あるユーザの購入した時間が過ぎても他の利用者がいる間は、引き続き利用できる一例を以下に示す。
【００２１】
ユーザＡは、ユーザ端末Ａ１００（例えば、パソコン、ＰＤＡ、携帯電話、インターネットＴＶ、インターネット接続可能なゲーム機器などインターネットにアクセス可能な機器）から、インターネット網２００を介してコンテンツを購入できる。
【００２２】
コンテンツサーバ３００は、課金会員管理サーバ５００に購入指示を出す。課金会員管理サーバ５００は、課金情報をユーザ管理ＤＢ６００に書き込み、書き込み完了情報を課金会員管理サーバ５００に返す。課金会員管理サーバ５００は、課金完了情報をコンテンツサーバ３００に送る。課金処理が完了した後、コンテンツサーバ３００は、ユーザのコンテンツが利用できる時間を時間管理機能部３０２により算出する。
【００２３】
コンテンツサーバ３００は、時間管理機能部３０２によってもたらされたコンテンツ利用時間を元に、コンテンツＤＢ４００にアクセスし、コンテンツサーバ３００からの開始／終了により、ユーザはユーザ端末Ａ１００でのコンテンツ利用時間が制御される。
なお、以上を“購入処理”とする。
【００２４】
購入順として１番に購入したユーザをユーザＡ、２番目に購入したユーザをユーザＢ、とする。ユーザＡが上記の“購入処理”の後、他のユーザＢが同一の“購入処理”を行なったとする。このユーザＢの“購入処理”が完了した時点で、ユーザＡには、ユーザＢによって購入されたコンテンツの利用終了時間までコンテンツ利用が可能になる。
【００２５】
コンテンツサーバは、ユーザＢの購入完了処理を行なった後、課金会員管理サーバ５００にユーザＡの利用時間情報をユーザＢの終了時間に置き換える。
時間の延長の動作は、ユーザの購入イベントが発生する前にコンテンツを購入していたユーザ全てに適応される。
【００２６】
図２および図３により、コンテンツ販売方法の実施におけるサービス利用の適用例を説明をする。
図２において、所定のユーザは、ユーザ端末から所定のコンテンツを購入して利用するために、コンテンツを管理するコンテンツサーバにアクセスする（ステップＳ１）。
コンテンツサーバは、上記のアクセスに対応してユーザがコンテンツを利用可能とするとともに、予め割り当てられた課金で利用可能な時間の管理を開始する（ステップＳ２）。
【００２７】
上記アクセスを行ったユーザがコンテンツを利用可能とする時間内に、他のユーザによる同一コンテンツの購入の有無を管理する（ステップＳ３）。
上記別途購入者有無の管理において、同一コンテンツの新たな購入者があった場合に（ステップＳ３／ＹＥＳ）、当初アクセスしたユーザに対する当初の課金内で利用可能な時間を、予め定められた利用可能な時間より延長させる（ステップＳ４）。
上記の手順によれば、当初アクセスしたユーザの他に新たなユーザが生じた場合に、当初アクセスしたユーザが購入した利用可能な時間を延長し、予め定められた同一コンテンツの利用可能な時間が過ぎても、引き続き利用が可能となる。
【００２８】
図３において、ユーザ端末Ａ１００を操作するユーザＡがコンテンツ（インターネットを介して複数人でプレイするネットワークゲームなど）を購入する場合、ユーザ端末Ａからインターネット上にあるコンテンツサーバ３００にアクセスする（ステップ５０１）。
これに応答して、コンテンツサーバ３００は、ユーザ端末Ａ１００に購入画面を送り、ユーザの入力情報の返答を待つ（ステップ５０２）。
【００２９】
ユーザＡは、ユーザ端末Ａ１００の画面に従いコンテンツ購入のために必要な情報を入力し、購入確定のボタンをクリックすれば、ユーザ端末Ａ１００は、コンテンツサーバ３００に入力されたデータを送信する（ステップ５０３）。
【００３０】
コンテンツサーバ３００では、受け取ったユーザＡの購入情報と、購入情報を元に作成したコンテンツ利用時間情報を課金会員管理サーバ５００に送信する（ステップ５０４）。
課金会員管理サーバ５００は、受け取った購入情報とコンテンツ利用時間情報を保存し、購入処理終了通知をコンテンツサーバ３００に返す（ステップ５０５）。
【００３１】
コンテンツサーバ３００は、コンテンツを呼び出しユーザ端末Ａ１００にコンテンツと利用可能時間通知を送信する（ステップ５０６）。
ユーザＡは、コンテンツサーバ３００よりコンテンツと利用可能時間を受け取り、コンテンツ利用を開始する（ステップ５０７）。
【００３２】
ユーザ端末Ｂ１０１を操作するユーザＢがコンテンツ（インターネットを介して複数人でプレイするゲームなど）を購入する場合、ユーザ端末Ｂ１０１からインターネット上にあるコンテンツサーバ３００にアクセスする（ステップ５０８）。
これに応答して、コンテンツサーバ３００は、ユーザ端末Ｂ１０１に購入画面を送り、ユーザの入力情報の返答を待つ（ステップ５０９）。
【００３３】
ユーザＢは、ユーザ端末Ｂ１０１の画面に従いコンテンツ購入のために必要な情報を入力し、購入確定のボタンをクリックすれば、ユーザ端末Ｂ１０１は、コンテンツサーバ３００に入力されたデータを送信する（ステップ５１０）。
コンテンツサーバ３００では、受け取ったユーザＢの購入情報と、購入情報を元に作成したコンテンツ利用時間情報を課金会員管理サーバ５００に送信する（ステップ５１１）。
課金会員管理サーバ５００は、受け取った購入情報とコンテンツ利用時間情報を保存し、購入処理終了通知をコンテンツサーバ３００に返す（ステップ５１２）。
【００３４】
コンテンツサーバ３００は、コンテンツを呼び出しユーザ端末Ｂ１０１にコンテンツと利用可能時間通知を送信する（ステップ５１３）。
ユーザＢは、コンテンツサーバ３００よりコンテンツと利用可能時間を受け取り、コンテンツ利用を開始する（ステップ５１４）。
【００３５】
コンテンツサーバ３００は、ユーザＢのコンテンツ購入確定の後、時間管理機能部３０２によりユーザＡのコンテンツ利用終了時間をユーザＢの利用終了時間に変更する。変更した情報をユーザＡの情報変更のための通知を、課金会員管理サーバ５００に行なう（ステップ５１５）。
課金会員管理サーバ５００は、ユーザＡの情報更新の通知をもとにユーザＡのコンテンツ利用時間を更新する。更新が終了した後、コンテンツサーバ３００に作業終了の通知を行なう（ステップ５１６）。
【００３６】
課金会員管理サーバ５００からの通知を受け取った後、ユーザ端末Ａ１００にコンテンツ利用時間の変更通知を行なう（ステップ５１７）。
ユーザＢがコンテンツを購入した後、新たなユーザによってコンテンツを購入されなければユーザＢの購入時間を持ってコンテンツ制御機能によってコンテンツ利用を終了させる。また、ユーザＡ、ユーザＢにコンテンツ終了通知を行なう（ステップ５１８）。
【００３７】
（効果の説明）
ユーザは、コンテンツ購入時期が早ければその後に購入したユーザの利用終了設定時間までコンテンツ利用できるのでユーザが払った時間以上にコンテンツが長時間利用でき有利である。また、ユーザが安価で長くコンテンツを利用したい場合は、ユーザ自身で購入者を増やす活動をするのでバイラル的な販売効果が生まれる。新たに購入したユーザにとっても、自分の購入した時間はコンテンツ利用可能で、更に新たなユーザが購入すれば、そのユーザの終了時間までコンテンツが、利用可能となるので損にはならない。コンテンツ提供元は、コンテンツの販売促進のコスト低減につながる。
【００３８】
（応用例）
第１の応用例は、コンテンツ利用時間の割合を増やすような場合の実施例である。本第１の応用例によれば、一番目に購入したユーザがコンテンツ利用中の内に、新たにコンテンツを購入したユーザが現れた場合、一番目に購入したユーザのコンテンツ利用時間を一定の割合で増やすことができる。
【００３９】
第２の応用例は、購入人数によって利用可能時間を変動させる実施例である。本第２の応用例によれば、一番目に購入したユーザの後に一定時間の特別時間を設けて、その間に新たにコンテンツを購入したユーザの人数によって、コンテンツ利用時間を一定時間伸ばすことができる。
【００４０】
第３の応用例は、呼び込みによる利用時間を変動させる実施例である。本第３の応用例によれば、一番目に購入したユーザを時間追加する条件として、新たに呼び込んだユーザが一番目に購入したユーザがサービスに呼び込んだという識別子を購入時に入力することで、コンテンツ利用時間を延長可能とする。
【００４１】
第４の応用例は、複数人同時購入による利用時間割増の実施例である。本第４の応用例によれば、コンテンツ利用時間を示し合わせて複数人でコンテンツ購入を行なった場合、複数人全員に複数人分のコンテンツ利用時間を割り当てられる。
【００４２】
第５の応用例は、ストリーミングの放映の実施例である。本第５の応用例によれば、本発明を、ストリーミングサービスに適応させた場合は、コンテンツサーバ３００をストリーミングサーバに置換え、ストリーミングソフトなどにプラグインなどで時間管理機構を埋め込むことで、ストリーミングサービスをコンテンツ販売システムおよびコンテンツ販売方法に適応させることができる。
【００４３】
なお、上述の実施形態は本発明の好適な実施の一例である。ただし、これに限定されるものではなく、本発明の要旨を逸脱しない範囲内において種々変形実施が可能である。
【００４４】
【発明の効果】
以上の説明より明らかなように、本発明のコンテンツ販売システムおよびコンテンツ販売方法は、所定のユーザがユーザ端末から所定のコンテンツを購入して利用するためにコンテンツを管理するコンテンツサーバにアクセスし、コンテンツサーバはアクセスに対応してユーザがコンテンツを利用可能とするとともに予め割り当てられた課金で利用可能な時間の管理を開始し、ユーザがコンテンツを利用可能とする時間内に他のユーザによるコンテンツの購入の有無を管理する。この別途購入者有無管理においてコンテンツの新たな購入者があった場合に、ユーザに対する課金内で利用可能な時間を予め定められた利用可能な時間より延長させる。これにより、所定のユーザの他に新たなユーザが生じた場合には、所定のユーザが購入した利用可能な時間を延長することにより、予め定められた利用可能な時間が過ぎても引き続き利用が可能となる。
【図面の簡単な説明】
【図１】本発明のコンテンツ販売システムの実施形態を示すシステム構成図である。
【図２】本発明のコンテンツ販売方法の処理手順例を示すフローチャートである。
【図３】コンテンツ販売システムおよびコンテンツ販売方法のサービス利用の流れ図である。
【符号の説明】
１００  ユーザ端末Ａ
１０１  ユーザ端末Ｂ
２００  インターネット網
３００  コンテンツサーバ
３０１  コンテンツ制御機能部
３０２  時間管理機能部
４００  コンテンツＤＢ
５００  課金会員管理サーバ
５０１  課金管理機能部
６００  ユーザ管理ＤＢ
【図１】
0003861243.tif 000002
【図２】
0003861243.tif 000003
【図３】
0003861243.tif 000004